(57)【要約】      （修正有）【課題】どんぐり形状の物体をジグザグに転がした際に、澄んだ音色の衝突音を得ることができる玩具を提供する。【解決手段】玩具１０は、矩形状の板材２と、板材２の上面に面ファスナー４ａ、４ｂによって互いに略平行に設置された棒材１ｂと、板材２の下面に面ファスナー４によって設置された支持材３とを有す。板材２を傾斜した状態にして、板材２の上面にドングリ（筆柿）形状の物体を置くと、ドングリ形状の物体は、斜め下方に向かって転がってジグザクの動きをしながら板材２上を転がり、棒材１ｂへの衝突を繰り返す。【選択図】図２
0003202106.tif 000002
【実用新案登録請求の範囲】
【請求項１】
矩形状の板材と、
前記板材の上面に免振材を介して略平行に配置された一対の棒材または管材と、
前記板材の下面に設置された支持材とを有する玩具。
【請求項２】
前記免振材は、面ファスナーであることを特徴とする請求項１記載の玩具。
【考案の詳細な説明】
【技術分野】
【０００１】
本考案は玩具、特に、どんぐり形状の物体を転がす斜面を有する玩具に関する。
【背景技術】
【０００２】
従来、どんぐり形状（筆柿形状に同じ）に加工された滑降体を傾斜させた滑降台に置いて、滑降体を滑降させる玩具が開示されている（例えば、特許文献１参照）。
【先行技術文献】
【非特許文献】
【０００３】
【特許文献１】特開２０１１−１９４０１７号公報（第３−４頁、図１）
【考案の概要】
【考案が解決しようとする課題】
【０００４】
特許文献１に開示された玩具は、滑降台と基台とを有し、滑降台の左右の縁にそれぞれ固定されている側壁の下縁を円弧状の凸面に形成し、かかる凸面に摺動する円弧状の凹面を、基台に固定されている支持部の上縁に形成したものである。このため、滑降台を任意の角度に傾斜させることができ、滑降台に置かれた滑降体を、左右の側壁に交互に衝突させながらジグザグに転がすことができるものである。
しかしながら、衝突時の振動が、側壁を経由して滑降台に、さらに、凸面と凹面との摺動面を介して支持部や基台に伝わるため、凸面と凹面とが摺動したり、玩具全体が振動したりすることになり、澄んだ音色の衝突音を聞くことができないという問題があった。
また、側壁同士の間隔が固定されて広いことから、例えば、様々な大きさの天然のどんぐりを採取しても、滑降台に載置された天然のどんぐりは側壁に衝突することなく滑降するため、ジグザグに転がすことができないという問題があった。
【０００５】
本考案は、上記問題を解消するものであって、どんぐり（筆柿）形状の物体を転がした際、澄んだ音色の衝突音を得ることができる玩具を提供することにある。また、様々な大きさのどんぐり形状の物体をジグザグに転がすことができる玩具を提供することにある。
【課題を解決するための手段】
【０００６】
（１）本考案に係る玩具は、矩形状の板材と、前記板材の上面に免振材を介して略平行に配置された一対の棒材または管材と、前記板材の下面に設置された支持材とを有する。
（２）また、前記免振材は、面ファスナーであることを特徴とする。
【考案の効果】
【０００７】
本考案に係る玩具によると、どんぐり形状の物体が板材の上面を転がって棒材または管材に衝突したときに生じる振動が、免振材によって板材に伝わり難い構造のため、澄んだ音色の衝突音が得られる。なお、本考案において免振とは、振動を伝え難くすることであって、振動を遮断することに限定するものではない。
また、免振材は面ファスナー（マジックテープ（登録商標））であるから、棒材または管材と板材とは着脱可能で、間隔を容易に調整可能である。したがって、様々な大きさのどんぐり形状の物体（天然のどんぐりを含む）を傾斜させた板材の上面に置いて、ジグザグに転がすことができると共に、衝突音のリズムを容易に変えることができる。
【図面の簡単な説明】
【０００８】
【図１】本考案の実施の形態１に係る玩具を示す正面図である。
【図２】本考案の実施の形態１に係る玩具を示す側面図である。
【図３】本考案の実施の形態１に係る玩具を示す平面図である。
【考案を実施するための形態】
【０００９】
（実施の形態）
図１および図２は本考案の実施の形態に係る玩具を説明する、図１は正面図、図２は側面図、図３は平面図である。なお、各図は模式的に描かれたものであって、本考案は、図示された形態に限定されるものではない。
図１〜図３において、玩具１０は、矩形状の板材２と、板材２の上面に面ファスナー（マジックテープ（登録商標））４によって互いに略平行に配置された棒材１ａ、１ｂと、板材２の下面に面ファスナー４によって設置された支持材３とを有する。
なお、面ファスナー４は一方の形態（例えばフックタイプ）の面ファスナー部材４ａと、他方の形態（例えばループタイプ）の面ファスナー部材４ｂとから構成されるものであるが、本考案は面ファスナー４の構成を限定するものではなく、例えば、面ファスナー部材４ａおよび面ファスナー部材４ｂの両方がそれぞれ、前記形態の両方を具備してもよい。
したがって、面ファスナー部材４ａと面ファスナー部材４ｂとの接続位置を調整することによって、棒材１ａ、１ｂ同士の間隔（以下「棒材間隔」と称す）および板材２の傾き（以下「傾斜角度」と称す）をそれぞれ容易に設定することができる。
【００１０】
そうすると、板材２を傾斜した状態にして、板材２の上面にドングリ（筆柿）形状の物体（図示しない）を置くと、ドングリ形状の物体は斜め下方に向かって転がって、例えば棒材１ａに衝突して姿勢を変え、今度は、棒材１ｂに向かって転がって棒材１ｂに衝突する。さらに、棒材１ｂへの衝突によって姿勢を変え、棒材１ａに向かって転がり、棒材１ａに再度衝突する。すなわち、どんぐり形状の物体は、ジグザクの動きをしながら板材２の上面を転がって棒材１ａおよび棒材１ｂへの衝突を繰り返すことになる。
したがって、天然のどんぐり（例えばマテバシイの実）を採取して、その大きさ（例えば外径１４ｍｍ、長さ２８ｍｍ）に応じて、棒材間隔および傾斜角度を調整すれば（例えば約２５ｍｍおよび約１５°）、天然のどんぐりを傾斜した板材２の上でジグザクに転がすことができる。そして、棒材間隔や傾斜角度を調整することによって、衝突音のリズムを変更することができる。また、棒材１ａ、１ｂを、わずかにハ字状（非平行）に配置したり、棒材１ａ、１ｂの太さを長手方向で変動するものにしたりして、ジグザクに転がる途中で衝突音のリズムが変わるようにしてもよい。
【００１１】
以上のように、どんぐり形状の物体（天然のどんぐりを含む）の衝突による棒材１ａ、１ｂの振動は、面ファスナー４によって免振されて板材２に伝わり難いから、棒材１ａ、１ｂの振動による澄んだ音色の衝突音が得られる。
なお、本考案は、棒材１ａ、１ｂを断面矩形の中実材に限定するものではなく、断面円形の棒材や中空の管材（角管、円管）であっても、長手方向で太さが変動するものであってもよく、その材質は、木材（落葉樹や常緑樹）、ガラスあるいは金属等、何れであってもよい。また、棒材１ａと棒材１ｂとの大きさ、形状、材質が相違してもよい。
さらに、棒材１ａ、１ｂを一定の間隔に固定する場合は、面ファスナー４に代えて、棒材１ａ、１ｂと板材２とを不織布、天然樹脂あるいは合成樹脂（特に発泡樹脂）等の免振材を介して接着してもよい。このとき、面接着に代えて、免振材を棒状に形成して、これを棒材１ａ、１ｂおよび板材に設けた穴に挿入してもよい。また、傾斜角度を固定する場合は、面ファスナー４に代えて、支持材３を板材２に直接設置してもよい。
さらに、板材２の上面に代えて、板材２の側面に棒材１ａ、１ｂの側面を設置し、棒材１ａ、１ｂの側面の上範囲が板材２の上面よりも上側に配置されるようにしてもよい。
【符号の説明】
【００１２】
１ａ：棒材、１ｂ：棒材、２：板材、３：支持材、４：面ファスナー、４ａ：面ファスナー部材、４ｂ：面ファスナー部材、１０：玩具。
【図１】
0003202106.tif 000003
【図２】
0003202106.tif 000004
【図３】
0003202106.tif 000005